(57)【特許請求の範囲】
【請求項１】
機器（１２）前面に固定された端子台（１４）から突出し、かつ、上下方向で対をなす供給側電路に接続するボルト軸（１６ａ）および負荷側電路に接続するボルト軸（１６ｂ）と、該ボルト軸間を電気的に接続するために上端には上側のボルト軸（１６ａ）を通すために長手方向に開口するＵ字型のＵ字穴（１８ａ）が形成され中央部には下側のボルト軸（１６ｂ）を貫通するための長穴（１８ｂ）が形成されたの短冊状の接続プラグ（１０）と、を覆うように機器（１２）前面側から被せられる枡型の接続端子用カバーであって、
その内部が仕切り板（２６）によって上側空間（２８ａ）と下側空間（２８ｂ）とに分割されており、
対をなすボルト軸が電気的に接続されている場合には、対をなすボルト軸および接続プラグを下側空間内に収容するように取り付けられ、対をなす２つのボルト軸が電気的に切断されている場合には、上側のボルト軸を上側空間内に収容する一方、下側のボルト軸および接続プラグを下側空間に収容するように取り付けられる、ことを特徴とする接続端子用カバー。
【請求項２】
前記仕切り板（２６）は、下側空間（２８ｂ）をその底部側に行くにつれて縮小するように傾斜して設けられている、ことを特徴とする請求項１に記載の接続端子用カバー。
【請求項３】
前記接続プラグ（１０）と一体をなす基部（３０ａ）と、
前記仕切り板（２６）を含み、かつ、該基部の下端に回動自在に取り付けられた蓋部（３０ｂ）とから構成されており、
前記接続プラグ（１０）の上端には上側のボルト軸（１６ａ）を通すために長手方向に開口するＵ字型のＵ字穴（１８ａ）が形成されるとともに、接続プラグの中央部には下側のボルト軸（１６ｂ）を貫通するための長穴（１８ｂ）が形成されており、前記端子台に取り付けた接続プラグをスライド移動させて、前記長穴の下端部に下側のボルト軸を位置させると前記Ｕ字穴が上側のボルト軸と接続し、前記長穴の上端部に下側のボルト軸を位置させると前記Ｕ字穴が上側のボルト軸から離隔されるようになっている、ことを特徴とする請求項１又は２に記載の接続端子用カバー。
【発明の詳細な説明】
【技術分野】
【０００１】
本発明は、主として機器前面パネルに設けられた端子台のボルト軸を電気的に接続するための接続プラグ（例えばトリップロック端子用の接続プラグ）に被せられる接続端子用カバーに関する。
【背景技術】
【０００２】
遮断器を作動させる保護継電器（保護継電器盤）では、常時はトリップ回路を閉路に、異常時や工事・点検時にはトリップ回路を開路にすることが一般的である。これは送電を停止させずに電力設備や保護継電器の工事・点検をする際に、誤って遮断器に遮断信号を出力され遮断器が遮断することで、送電が停止してしまうことを防止するためである。また、保護継電器点検においては、保護継電器からの遮断信号を試験装置に取り込むなどの目的で、保護継電器盤やスイッチギヤ等の機器のトリップ回路を常時閉路にすることがある。そのため保護継電器等には、そのトリップ回路の開閉を行うための端子台および接続端子（トリップロック端子）が機器の前面に複数個並べられて設けられている。
【０００３】
図８に従来からあるトリップロック端子１００（端子台１４および接続プラグ１２０）の概略を斜視図で示した。この端子台１４および接続プラグ１２０は、保護継電器１２の前面パネルに水平方向に十個程度が数段に渡って並べられて取り付けられている。
【０００４】
各接続プラグ１２０は、その両端部に切欠き部１２３が形成された短冊形状の導体であり、その中心部は指で摘むために帯状の絶縁体１２１で被覆されている。両端に形成された切欠き部１２３は、後述する端子台１４に側方から挿し入れるためのもので、図８（ａ）に示すように接続プラグの両端が長手方向に対して垂直方向に同じ向きにＵ字状に欠けるように形成されるか、図８（ｂ）に示すように接続プラグの一端側が長手方向にＵ字状に欠け、他端側が長手方向に対して垂直方向にＵ字状に欠けるように形成されるのが一般的である。
【０００５】
各端子台１４は、保護継電器１２の前面パネルに突出するように取り付けられ、供給側電路に接続する供給側ボルト軸１６ａと負荷側電路に接続する負荷側ボルト軸１６ｂとが５ｃｍ程度間隔をあけて備えられている。供給側ボルト軸の台座１１１および負荷側端子の台座は、絶縁支持体１１５を介して保護継電器１２の前面パネルに固定されている。このボルト軸１６ａ，１６ｂには、絶縁体により作成され内周面にネジ溝を有する凹部が形成されたナット体１１９が螺合される。
これらの絶縁支持体１１５、台座１１１、ボルト軸１６ａ，１６ｂおよびナット体１１９は一体として端子台１４を構成している。
【０００６】
接続プラグ１２０は、端子台１４の供給側と負荷側の各ボルト軸１６ａ，１６ｂに側方から挿し入れられ、この状態でナット体１１９を回転させて締め付けることで台座１１１とナット体１１９との間に挟み込まれて固定される。これにより、供給側電路と負荷側電路とは電気的に接続されることとなる。
【０００７】
ここで従来の保護継電器１２の前面パネルには、複数の端子台１４が数センチ程度の近接した状態で隣接して並んで配置されており、そのため側方から端子台１４に接続プラグ１２０を挿し入れたり、取り外したりすることが難しいといった問題があった。また取り外した接続プラグを落とすことで回路を短絡させたり、プラグを紛失したりする虞もあり、その取り扱いや管理が面倒であった。さらに接続プラグ１２０の抜き挿しの際に隣接する端子台１４への接触が起こりやすいといった問題もあった。
【０００８】
そこで特許文献１では、作業性を改善するために、操作棒を摺動・回転させるツーアクションにより操作できるようにした「トリップロック端子台」が開示されている。
【先行技術文献】
【特許文献】
【０００９】
【特許文献１】特開２００１−３５１４８２号公報
【発明の開示】
【発明が解決しようとする課題】
【００１０】
しかしながら特許文献１に記載の発明はその構造が複雑であるとともに端子台自体に改変を要し、また端子台が大きくなる傾向があり、その製造コストが高くなるだけでなく多くの端子台を保護継電器の前面パネルに並べる場合に不都合を生じることがあった。
【００１１】
本発明はこのような問題を解決するために創案されたものであり、端子台のボルト軸間を電気的に開閉するための接続プラグの抜き挿しを容易かつ確実に行うことができ、また接続プラグを紛失する虞や隣接する端子台等へ接触してしまうこともない構造が単純で小型、低廉な接続プラグなどと共に用いることができる接続端子用カバーを提供することを目的とする。
【課題を解決するための手段】
【００１２】
上記目的を達成するため本発明は、機器（１２）前面に固定された端子台（１４）から突出し、かつ、上下方向で対をなす供給側電路に接続するボルト軸（１６ａ）および負荷側電路に接続するボルト軸（１６ｂ）と、該ボルト軸間を電気的に接続するために上端には上側のボルト軸（１６ａ）を通すために長手方向に開口するＵ字型のＵ字穴（１８ａ）が形成され中央部には下側のボルト軸（１６ｂ）を貫通するための長穴（１８ｂ）が形成されたの短冊状の接続プラグ（１０）と、を覆うように機器（１２）前面側から被せられる枡型の接続端子用カバーであって、その内部が仕切り板（２６）によって上側空間（２８ａ）と下側空間（２８ｂ）とに分割されており、対をなすボルト軸が電気的に接続されている場合には、対をなすボルト軸および接続プラグを下側空間内に収容するように取り付けられ、対をなす２つのボルト軸が電気的に切断されている場合には、上側のボルト軸を上側空間内に収容する一方、下側のボルト軸および接続プラグを下側空間に収容するように取り付けられる、ことを特徴とする接続端子用カバーを提供する。
【００１３】
ここで、前記仕切り板（２６）は、下側空間（２８ｂ）をその底部側に行くにつれて縮小するように傾斜して設けられている、ことが好ましい。
【００１４】
また接続端子用カバーは、前記接続プラグ（１０）と一体をなす枠体である基部（３０ａ）と、前記仕切り板（２６）を含み、かつ、該基部の下端に回動自在に取り付けられた蓋部（３０ｂ）とに分割可能に構成されており、前記接続プラグ（１０）の上端には上側のボルト軸（１６ａ）を通すために長手方向に開口するＵ字型のＵ字穴（１８ａ）が形成されるとともに、接続プラグの中央部には下側のボルト軸（１６ｂ）を貫通するための長穴（１８ｂ）が形成されており、前記端子台に取り付けた接続プラグをスライド移動させて、前記長穴の下端部に下側のボルト軸を位置させると前記Ｕ字穴が上側のボルト軸と接続し、前記長穴の上端部に下側のボルト軸を位置させると前記Ｕ字穴が上側のボルト軸から離隔されるようになっている、ことも好ましい。
【発明の効果】
【００１５】
本発明では、接続プラグおよびボルト軸を覆うための接続端子用カバーを用い、対をなすボルト軸が接続プラグによって電気的に接続されている場合には接続プラグおよび２つのボルト軸を接続端子用カバーの下側空間に収容し、対をなすボルト軸が電気的に切断されている場合には、上側のボルト軸が上側空間に収容され下側のボルト軸および接続プラグが下側空間に収容されるようにカバーを移動して取り付けることで、接続プラグが完全に下がりきっていない場合には上側空間と下側空間を分ける仕切り板が接続プラグと接触して接続端子用カバーの取り付けを阻害するため、対をなすボルト軸の電気的切断が確実に行われているかの確認が容易化される。
【００１６】
ここで、仕切り板を、下側空間がその底部側に行くにつれて縮小するように傾斜して設けることで、接続プラグが下がりきっていない場合にも、接続端子用カバーを被せることでこれを押し下げることができる。
【００１７】
さらに、接続端子用カバーを、接続プラグ（上端に上側のボルト軸（１６ａ）を通すために長手方向に開口するＵ字型のＵ字穴、中央部に下側のボルト軸を貫通するための長穴が形成されている）と一体をなし、かつ、上面および底面が開放された基部と、仕切り板を含み、かつ、基部の下端に蝶番（柔軟な材料での連結も含む）で回動自在に取り付けられた升型の蓋部とに分割可能に構成することで、蓋部を開けた状態でナット体の締緩が可能となり、また、基部を端子に取り付けたまま接続プラグを基部と一体としてスライド移動させることが可能となる。これにより接続端子用カバーを紛失する虞がなくなり、また、その取り扱いも簡易となる。
【図面の簡単な説明】
【００１８】
【図１】実施例１の接続プラグを説明するための斜視図である。
【図２】端子台に取り付けた接続プラグを、対をなすボルト軸間から取り外してトリップ回路を開路とする様子を簡略化して示した図である。
【図３】実施例２の接続端子用カバーの斜視図である。
【図４】実施例２の接続端子用カバーの使用方法を説明するための図である。
【図５】実施例３の接続端子用カバーの斜視図である。
【図６】実施例３の接続端子用カバーが開閉する様子を簡略化して示した側面図である。
【図７】実施例３の接続端子用カバーの使用方法を説明するための図である。
【図８】従来の接続プラグおよび端子台を示した斜視図である。
【発明を実施するための形態】
【００１９】
接続プラグ（トリップロック端子用接続プラグ）は、主として保護継電器の前面（鉛直面）のパネルに複数個水平方向に並べられた複数段の端子台に取り付けられるものであり、端子台の対をなす２つのボルト軸へのプラグの抜き挿しを容易かつ確実に行うためのものである。またその構造が単純かつ小型で、多くの接続を保護継電器の前面パネルに並べて配置することが可能であり、低廉に提供できることをもその特徴としている。
以下、本発明の好ましい実施形態を図面を参照して説明する。なお端子台自体については、従来の端子台と同様の構成であるため図８と同様の符号を付すことで、既述の背景技術と重複する説明は省略する。
【実施例１】
【００２０】
図１は本発明の接続端子用カバーと共に用いられる接続プラグの第１の実施例を説明するための斜視図であり、図２は端子台に取り付けた接続プラグを、対をなすボルト軸間から取り外してトリップ回路を開路とする様子を簡略化して示した図である。なお図２におていナット体は破線で示してある。
【００２１】
図１に示したようにトリップロック端子１００は、保護継電器１２の前面パネルに突出した状態で固定される端子台１４と、上下方向（鉛直方向）で対をなす２つのボルト軸１６ａ，１６ｂを電気的に接続するための接続プラグ１０とから構成される。
【００２２】
接続プラグ１０は、鉄や銅などの金属材を厚さが２ｍｍ程度で縦×横が１０ｃｍ×３ｃｍ程度の短冊板状に加工したものであり、その中央部には接続プラグ長手方向に伸長する長穴１８ｂが、その一端（上端）には接続プラグ長手方向に開口するＵ字型のＵ字穴１８ａが形成されている。この長穴１８ｂには端子台１４の下側のボルト軸１６ｂが貫通し、そこにナット体１１９が螺合されることで接続プラグ１０が端子台に止着されるようになっている。またＵ字穴１８ａは、下側のボルト軸１６ｂに螺合したナット体１１９を若干緩めた状態で接続プラグ１０を押し上げて（または引き下げて）スライド移動させることで、端子台１４の上側のボルト軸１６ａに接触（またはボルト軸から離隔）するようになっている。すなわち端子台１４に取り付けた接続プラグ１０を上側にスライド移動させて、長穴１８ｂの下端に下側のボルト軸１６ｂを位置させるとＵ字穴１８ａが上側のボルト軸１６ａと接続し、端子台１４に取り付けた接続プラグ１０を下側にスライド移動させて、長穴１８ｂの上端に下側のボルト軸１６ｂを位置させるとＵ字穴１８ａが上側のボルト軸１６ａから離隔されるようになっている。
また接続プラグ１０のもう一端（下端部）には、重さが数グラム程度の絶縁樹脂製の重し２２が接続プラグ下端部を覆うように取り付けられている。この重し２２は、長穴１８ｂに貫通した下側のボルト軸１６ｂを軸として接続プラグ１０を倒立させるために設けられたものであると同時に、接続プラグの押し上げや引き下げを行う際の摘みとしても機能するものであるが必須の構成要素ではない（安全のために下端部を絶縁被覆しておくことは好ましい）。
【００２３】
端子台１４は図８に示した従来のものとほぼ同様のものであるが、接続プラグ１０がスライドする面（スライド面）には、取り付けた接続プラグの一側にくるように凸条のスライドガイド２４が形成されている。このスライドガイド２４は、上側および下側のナット体１１９を共に緩めた場合にも、接続プラグ１０が下側のボルト軸１６ｂを軸として回転してしまうことを抑制するためのもので、これにより接続プラグは垂直方向のスライド移動のみが許容されることとなる。このスライドガイド２４は予めスライド面に形成してやってもよいし、両面テープなどの手段によって後からスライド面に取り付けてやってもよい。なおこのスライドガイド２４は必須の構成要件ではなく、必要に応じて形成されるものである。
【００２４】
以上に説明した接続プラグ１０は従来からある既存の端子台１４に次のように取り付けられる。
端子台１４への接続プラグ１０の取り付けは、まず、端子台の下のボルト軸１６ｂに螺合されているナット体１１９を一旦外し、ボルト軸１６ｂを接続プラグ中央部の長穴１８ｂに貫通させて再びナット体を緩くボルト軸１６ｂに螺合してやる。このとき接続プラグ１０から手を離すと、接続プラグ下端部に設けられた重し２２によって接続プラグはボルト軸１６ｂを回転軸として倒立する。その状態でナット体１１９をさらにボルト軸１６ｂにねじ込んでやる（完全には締め込まない）と、端子台１４に形成されたスライドガイド２４によって接続プラグは上下方向のスライド移動以外の移動が抑制される。このとき接続プラグ１０の上端と上側のボルト軸１６ａ（およびナット体１１９）とは１ｃｍ程度離隔しており、すなわちトリップ回路は開路となっている。
【００２５】
トリップ回路を閉路とする場合には、上側および下側のボルト軸１６ａ，１６ｂに螺合されているナット体１１９を若干緩め、接続プラグ１０の下端を押し上げることでスライド移動させる。長穴１８ｂの下端部に下側のボルト軸１６ｂを位置させると、これと同時に接続プラグ上端部のＵ字穴１８ａがその開口部から上側のボルト軸１６ａの下側から差し込まれ、接続プラグ上端部とボルト軸１６ａとが接触する。そしてこの状態で上下のボルト軸１６ａ，１６ｂのナット体１１９を締め付けて、台座１１１とナット体１１９との間に接続プラグ１０を挟み込んで固定することで、上側のボルト軸１６ａと下側のボルト軸１６ｂとが電気的に接続され、すなわちトリップ回路が閉路となる（図２（ａ）参照）。
トリップ回路を開路とする場合には、上側および下側のボルト軸１６ａ，１６ｂに螺合するナット体１１９をともに緩めてやれば接続プラグ１０が自重によって下側にスライド移動するため、接続プラグ１０が上側のボルト軸１６ａから離隔する（図２（ｂ）参照）。
【００２６】
本実施例の接続プラグ１０によれば、端子台自体に改変を要することなく、また、多くの端子台１４が並んでいる場合にも接続プラグによるトリップ回路の開閉を容易に行うことができる。また接続プラグ１０は常に下側のボルト軸１６ｂに保持されているため、接続プラグを紛失する虞もない。さらにスライドガイド２４を設けてやれば、隣接する端子台等に接続プラグが接触してしまうことも防止することができる。また接続プラグの構造も単純で小型であるため、低廉にこれを提供することができる。
【実施例２】
【００２７】
本実施例は、上述した接続プラグ１０とともに用いられる本発明の接続端子用カバーであって、接続プラグが取り付けられた端子台１４に、機器１２の前面側から被せられて用いられ、端子台および接続プラグを覆うように接続端子用カバーを取り付けることで、露出した接続プラグに触れてしまうことによる地絡（感電）事故などを防止するためのものである。
なお接続プラグについては実施例１で説明したものが用いられるため重複した説明は省略し、以下に接続端子用カバーについてのみ説明する。
【００２８】
図３に本実施例の接続端子用カバーの斜視図を示した。
この接続端子用カバー３０は絶縁性の透明な樹脂により成形されており、一つの面を開放する升型の筐体の内部空間が、開放面を二分するように伸長して形成された仕切り板２６によって上側空間２８ａと下側空間２８ｂとに二分割されている。
【００２９】
接続端子用カバー３０の筐体は、縦×横×深さが１０ｃｍ×２ｃｍ×５ｃｍ程度の大きさの内部空間を有しており、その空間内には端子台１４や接続プラグ１０が収容される。
仕切り板２６は、縦長の接続端子用カバー３０筐体の内部空間を、上側空間２８ａが縦×横×深さが２．５ｃｍ×２ｃｍ×５ｃｍ程度、下側空間２８ｂが縦×横×深さが７．５ｃｍ×２ｃｍ×５ｃｍ程度となるように仕切るように設けられている。ここで仕切り板２６を、下側空間２８ｂがその底部側に行くにつれて縮小するように傾斜して設けてやることもできる。
【００３０】
以上に説明した本実施例の接続端子用カバーの使用方法を図４を用いて説明する。
端子台１４への接続端子用カバー３０の取り付けは、上側のボルト軸１６ａと下側のボルト軸１６ｂとの間を接続プラグ１０が電気的に接続している場合（トリップ回路が閉路である場合）には、対をなす上側のボルト軸１６ａおよび下側のボルト軸１６ｂならびに接続プラグ１０が、接続端子用カバーの下側空間２８ｂに収容されるように機器１２前面側から差し込むようにして行われる（図４（ａ）参照）。
一方、上側のボルト軸１６ａと下側のボルト軸１６ｂとの間が電気的に切断している場合（トリップ回路が開路である場合）には、上側のボルト軸１６ａが接続端子用カバー３０の上側空間２８ａに、下側のボルト軸１６ｂおよび接続プラグが接続端子用カバーの下側空間２８ｂに収容されるように、接続端子用カバーを機器１２前面側から差し込むように取り付けることによって行われる（図４（ｂ）参照）。
なお上述したように仕切り板２６を傾斜して設けてやれば、接続プラグ１０が十分に下がりきっていない場合にも、接続端子用カバー３０を差し込んで嵌めることで、接続プラグを完全に押し下げることができる。
【００３１】
本実施例の接続端子用カバー３０によれば、露出した接続プラグ１０に触れてしまうことによる地絡（感電）事故などを防止することができるだけでなく、トリップ回路が開路となっている場合に、上側のボルト軸１６ａと、下側のボルト軸１６ｂおよび接続プラグ１０を、仕切り板２６で隔てて配置することで、不用意に接続プラグの先端が上側のボルト軸１６ａに接触することを防止することもできる。
また接続端子用カバー３０を取り付けることで、トリップ回路が閉路となっている場合に、振動などの影響によりナット体１１９が自然に緩んでしまったとしても、接続プラグ１０が自重によって上側のボルト軸１６ａから離隔してしまうことを防止できる。
【００３２】
なお接続端子用カバー３０を端子台１４に取り付けると、接続端子用カバーは端子台にその台座１１１を挟み込むように嵌着されるため、不用意に端子台から外れてしまうことはない。
【実施例３】
【００３３】
本発明の接続端子用カバーの他の実施例を図５（斜視図）および図６（側面図）に示した。
この接続端子用カバー３０は、接続プラグ１０と一体をなす枠体である基部３０ａと、仕切り板２６を含み、かつ、基部の下端に蝶番３２で回動自在に取り付けられた蓋部３０ｂとに分割可能に構成されている。なお接続端子用カバー３０自体の大きさは、実施例２で説明したものと同様であり、基部３０ａと蓋部３０ｂとを組み合わせることで実施例２の接続端子用カバーとほぼ同様の外形をなす。
【００３４】
基部３０ａは縦×横×深さが１０ｃｍ×２ｃｍ×２ｃｍ程度の大きさの内部空間を有しており、その対向する二面が開放されている。また一方の開放面には接続プラグ１０が取り付けられた面を塞ぐがごとく伸長している。なお接続プラグ１０の大きさおよび形状は実施例１のものとほぼ同様であり、接続プラグが取り付けられた面の上端側は開放されている。なお接続プラグ１０には実施例１の重し２２は設けられていない。
蓋部３０ｂは縦×横×深さが１０ｃｍ×２ｃｍ×３ｃｍ程度の大きさの内部空間を有する升型をしており、その内部空間は仕切り板２６によって二分されている。この仕切り板２６は内部空間から突出するように伸長しており、実施例２で説明したように傾斜して設けられている。
【００３５】
蓋部３０ｂは基部３０ａの下端に蝶番３２によって連結されており、基部に対して回動自在となっている。なお蝶番３２の替わりに柔軟な樹脂などによってこれらを連結してやることも勿論可能である。また蓋部３０ｂは基部３０ａと組み合わせることで接続端子用カバー３０を構成するが、蓋部は基部と嵌合するなど一度組み合わされると極めて容易には開放しない構造となっている。
【００３６】
以上に説明した本実施例の接続端子用カバー３０の取り付け方法および使用方法を図７を用いて説明する。
端子台１４への接続端子用カバー３０の取り付けは、一旦上側および下側のボルト軸１６ｂに螺合されたナット体１１９を取り外し、蓋部３０ｂを開けた状態で上側のボルト軸１６ａをＵ字穴１８ａに、下側のボルト軸１６ｂを長穴１８ｂに貫通させた後に、ナット体１１９を螺合することで行われる。このようにすることで上側のボルト軸１６ａと下側のボルト軸１６ｂとは接続プラグ１０によって電気的に接続され、接続端子用カバー３０は端子台１４に固定される。最後に蓋部３０ｂを回動させて閉めることで、端子台１４への接続端子用カバー３０の取り付けが完了する。
【００３７】
トリップ回路を開路とする場合には、まず蓋部３０ｂを開け、上側および下側のボルト軸１６ａ，１６ｂに螺合するナット体１１９をともに若干緩め、基部３０ａを押し下げて上側のボルト軸１６ａから接続プラグ１０を離隔した後に緩めたナット体１１９を再び締め、最後に蓋部３０ｂを閉じる。なお蓋部３０ｂを閉じるとその仕切り板２６によって、上側のボルト軸１６ａは接続端子用カバー３０の上側空間２８ａに、下側のボルト軸１６ｂ（および接続プラグ１０）は下側空間２８ｂに収容される（図７（ｄ）の状態）。
トリップ回路を閉路とする場合には、開路とする手順と逆の手順が行われる。なお蓋部３０ｂを閉じると、上側および下側のボルト軸１６ａ，１６ｂ（ならびに接続プラグ１０）は全て下側空間２８ｂに収容されることとなる（図７（ａ）の状態）。
【００３８】
本実施例の接続端子用カバー３０によれば、接続端子用カバーを端子台１４に取り付けたままの状態で、接続プラグ１０のスライド移動が可能となるため、接続端子用カバーを紛失する虞がなくなり、また、その取り扱いも簡易となる。
【００３９】
なお上記実施例では保護継電器の前面パネルに取り付けて使用されるトリップロック端子の接続プラグについて説明してきたが、本発明の接続プラグはかかる使用に限られず、本発明の趣旨を逸脱しない範囲で種々の装置に使用することができるのは勿論である。また本発明の各構成は実施例に記述したものに限られるものではなく、発明の目的の範囲内で適宜変更して用いることができる。
【００４０】
最後に上記より抽出される発明の基本構成および効果について念のため以下に記載する。
【００４１】
［発明Ａ］
機器（１２）前面に固定された端子台（１４）から突出し、かつ、上下方向で対をなす供給側電路に接続するボルト軸（１６ａ）と負荷側電路に接続するボルト軸（１６ｂ）間を電気的に接続するための接続プラグ（１０）であって、
短冊板状の接続プラグの上端には上側のボルト軸（１６ａ）を通すために長手方向に開口するＵ字型のＵ字穴（１８ａ）が形成されるとともに、接続プラグの中央部には下側のボルト軸（１６ｂ）を貫通するための長穴（１８ｂ）が形成されており、
前記端子台に取り付けた接続プラグをスライド移動させて、前記長穴の下端部に下側のボルト軸を位置させると前記Ｕ字穴が上側のボルト軸と接続し、前記長穴の上端部に下側のボルト軸を位置させると前記Ｕ字穴が上側のボルト軸から離隔される、ことを特徴とする接続プラグ。
【００４２】
［効果］
本発明では、機器の前面パネルから突出して設けられた既存の端子台の一対のボルト軸間を電気的に開閉する接続プラグを、下側のボルト軸を貫通させた状態でスライド移動可能なものとすることで、端子台自体の改変を要することなく回路の接続・切断を容易かつ確実に行うことが可能となる。また接続プラグは下側のボルト軸を貫通した状態で取り付けられているため、ボルト軸間を接続プラグが通電していない場合でも、接続プラグが下側のボルト軸に保持され、その紛失を防ぐことができる。なお本発明の接続プラグは、主として短冊板状の金属板に穴を形成しただけの単純かつ小型な構造であるため、その製造コストが低廉であるといったメリットもある。
【００４３】
［発明Ｂ］
上記［発明Ａ］に記載の接続プラグは、下端部に、前記長穴（１８ｂ）に貫通した下側のボルト軸（１６ｂ）を軸として接続プラグ（１０）を倒立させるための重し（２２）が設けられている、ことを特徴とする。
【００４４】
［効果］
また、接続プラグの下端部に重しを設けてやれば、上側のボルト軸および下側ボルト軸に螺合したナット体をともに緩めた場合に、これらを電気的に接続していた接続プラグはその自重によって下方にスライドして回路を切断するとともに倒立状態を保つため、接続プラグの上側ボルト軸からの取り外し作業を省力化することができる。
【００４５】
［発明Ｃ］
上記［発明Ａ］又は［発明Ｂ］に記載の接続プラグは、前記端子台（１４）に形成された凸条のスライドガイド（２４）によって、垂直方向のスライド移動のみが許容される、ことを特徴とする。
【００４６】
［効果］
また、端子台に、上側のボルト軸から離隔した状態の接続プラグの回転を抑制するための凸条のスライドガイドを形成することで、例えば作業中に接続プラグに触れてしまうことで、接続プラグが下側のボルト軸を回転軸として回転し又はふらつくことを防止することができる。
【００４７】
［発明Ｄ］
上記［発明Ａ］乃至［発明Ｃ］のいずれかの接続プラグ（１０）および上下方向で対をなす２つのボルト軸（１６ａ，１６ｂ）に、機器（１２）前面側から被せるための接続端子用カバー（３０）であって、
仕切り板（２６）によって上側空間（２８ａ）と下側空間（２８ｂ）とに分割されており、
対をなすボルト軸が電気的に接続されている場合には、接続端子用カバーは対をなすボルト軸および接続プラグを下側空間内に収容するように取り付けられ、対をなす２つのボルト軸が電気的に切断されている場合には、接続端子用カバーは上側のボルト軸を上側空間内に収容する一方、下側のボルト軸および接続プラグを下側空間に収容するように取り付けられる、ことを特徴とする接続端子用カバー。
【００４８】
［効果］
また、上記本発明の接続プラグおよびボルト軸を覆うための接続端子用カバーを用い、対をなすボルト軸が接続プラグによって電気的に接続されている場合には接続プラグおよび２つのボルト軸を接続端子用カバーの下側空間に収容し、対をなすボルト軸が電気的に切断されている場合には、上側のボルト軸が上側空間に収容され下側のボルト軸および接続プラグが下側空間に収容されるようにカバーを移動して取り付けることで、接続プラグが完全に下がりきっていない場合には上側空間と下側空間を分ける仕切り板が接続プラグと接触して接続端子用カバーの取り付けを阻害するため、対をなすボルト軸の電気的切断が確実に行われているかの確認が容易化される。
【００４９】
［発明Ｅ］
上記［発明Ｄ］に記載の接続端子用カバーは、前記仕切り板（２６）は、下側空間（２８ｂ）をその底部側に行くにつれて縮小するように傾斜して設けられている、ことを特徴とする。
【００５０】
［効果］
また、仕切り板を、下側空間がその底部側に行くにつれて縮小するように傾斜して設けることで、接続プラグが下がりきっていない場合にも、接続端子用カバーを被せることでこれを押し下げることができる。
【００５１】
［発明Ｆ］
上記［発明Ｄ］又は［発明Ｆ］に記載の接続端子用カバーは、
前記接続プラグ（１０）と一体をなす枠体である基部（３０ａ）と、
前記仕切り板（２６）を含み、かつ、該基部の下端に蝶番（３２）等で回動自在に取り付けられた蓋部（３０ｂ）とに分割可能に構成されている、ことを特徴とする。
【００５２】
［効果］
また、接続端子用カバーを、接続プラグと一体をなし、かつ、上面および底面が開放された枠体である基部と、仕切り板を含み、かつ、基部の下端に蝶番（柔軟な材料での連結も含む）で回動自在に取り付けられた升型の蓋部とに分割可能に構成することで、蓋部を開けた状態でナット体の締緩が可能となり、また、基部を端子に取り付けたまま接続プラグを基部と一体としてスライド移動させることが可能となる。これにより接続端子用カバーを紛失する虞がなくなり、また、その取り扱いも簡易となる。
【符号の説明】
【００５３】
１０    接続プラグ
１２    機器（保護継電器）
１４    端子台
１６ａ  （上側の）ボルト軸
１６ｂ  （下側の）ボルト軸
１８ａ  Ｕ字穴
１８ｂ  長穴
２２    重し
２４    スライドガイド
２６    仕切り板
２８ａ  上側空間
２８ｂ  下側空間
３０    接続端子用カバー
３０ａ  基部
３０ｂ  蓋部
３２    蝶番
１００  トリップロック端子
１１１  台座
１１５  絶縁支持体
１１９  ナット体
１２０  接続プラグ
１２１  絶縁体
１２３  切欠き部
【図１】
0005279932.tif 000002
【図２】
0005279932.tif 000003
【図３】
0005279932.tif 000004
【図４】
0005279932.tif 000005
【図５】
0005279932.tif 000006
【図６】
0005279932.tif 000007
【図７】
0005279932.tif 000008
【図８】
0005279932.tif 000009